(57)【要約】　　　（修正有）【課題】テレビカメラを使用した監視システムにおけるマン・マシンインターフェースにＣＲＴ等の表示装置を使用した操作画面において、画面上の操作スイッチにポインタを合わせた際、対象の操作スイッチ表示またはその機能を表示画面上に拡大表示することにより、視認性、操作性の向上を目的とする。【解決手段】本発明は、上記の目的を達成するためＣＲＴ等の表示装置を使用した操作画面で操作を行なう際、画面上のポインタを動かし、任意の操作スイッチ上にポインタを合わせた際、ポインタを合わせた操作スイッチ表示またはそのスイッチの機能を操作画面上で通常の操作が出来る大きさに拡大表示出来るようにする。【選択図】　図２
2004056175.tif 000002
【特許請求の範囲】
【請求項１】
表示装置を使用して操作を行う監視システムの操作画面において、
上記操作画面に表示した操作スイッチまたは表示ボタンを縮小表示し、該縮小表示された操作スイッチまたは表示ボタンの１つが選択された場合には該縮小表示された操作スイッチまたは表示ボタンの１つを通常の操作スイッチまたは表示ボタンの大きさに変更表示することを特徴とする操作画面の表示方法。
【発明の詳細な説明】
【０００１】
【発明の属する技術分野】
本発明は、表示装置を使用した操作画面で、任意の操作スイッチまたは表示ボタンを選択する際、選択スイッチまたは表示ボタンの表示方法に関するものである。
【０００２】
【従来の技術】
従来のシステムでは、表示装置を使用した操作画面は、視認性や操作性を考慮した適度な大きさの操作スイッチを操作画面に配置して表示している。システムは、例えば、監視システム等である。表示装置は、例えば、ＣＲＴ（　Ｃａｔｈｏｄｅ−Ｒａｙ　Ｔｕｂｅ　）、液晶パネル、等である。操作スイッチは、例えば、表示装置の操作画面上に表示されたＧＵＩ（　Ｇｒａｐｈｉｃａｌ　Ｕｓｅｒ　Ｉｎｔｅｒｆａｃｅ　）図形である。配置の際、表示装置の画面サイズや解像度等の制限により、必要な操作スイッチが操作画面のサイズや解像度の不足のため、操作画面内に１度に配置出来ないことがある。このような場合、操作スイッチの表示サイズを小さくするか、または複数の操作画面を作成し、目的の操作を行うために操作画面を選択及び表示し、それから目的の操作スイッチを選択操作しなければならなかった。
【０００３】
【発明が解決しようとする課題】
前述の従来技術には、操作スイッチの表示サイズを小さくした場合は操作スイッチの視認性・操作性が悪くなる欠点があった。また、表示サイズを小さくせずに、表示するために、複数の画面を作成し、それぞれの画面に表示するようにした場合には、操作の効率が悪くなる欠点が有った。
本発明の目的は、上記の欠点を解決するため、視認性、操作性の良い操作装置を提供することにある。
【０００４】
【課題を解決するための手段】
上記の目的を達成するため、本発明の操作画面の表示方法は、表示装置を使用した操作画面で操作を行なう際、通常は操作画面上に操作スイッチまたは表示ボタンを縮小表示しておき、画面上のポインタ等によって任意の操作スイッチまたは表示ボタンを選択し、選択された操作スイッチまたは表示ボタンの表示またはそのスイッチの機能を操作画面上で通常の操作ができる大きさに拡大表示するようにしたもので、これによって、視認性、操作性の向上した操作画面を実現したものである。
【０００５】
即ち、本発明の操作画面の表示方法は、表示装置を使用して操作を行う監視システムの操作画面において、上記操作画面に表示した操作スイッチまたは表示ボタンを縮小表示し、該縮小表示された操作スイッチまたは表示ボタンの１つが選択された場合には該縮小表示された操作スイッチまたは表示ボタンの１つを通常の操作スイッチまたは表示ボタンの大きさに変更表示するものである。
【０００６】
【発明の実施の形態】
以下本発明の一実施例を記載する。
図１は、本発明の操作方法の一実施例を実施する監視システムの構成を示すブロック図である。
旋回装置１は、テレビカメラ３と電動ズームレンズ２を収納したカメラケース４を搭載し、任意の角度にカメラ視野を移動する（パン・チルト）ためのものである。旋回装置１、テレビカメラ３、電動ズームレンズ２、及びカメラケース４で遠隔監視部１０を構成する。
遠隔操作部６は、ＣＲＴ等の表示装置を使用した操作画面８を備え、操作画面８の操作スイッチを選択することにより、それぞれの操作スイッチに対応する制御信号が演算処理部７に出力される。演算処理部７は、パソコン或いはＣＰＵ（Ｃｅｎｔｒａｌ　Ｐｒｏｃｅｓｓｉｎｇ　Ｕｎｉｔ　）等から構成される。
演算処理部７は、遠隔操作部６から与えられる制御信号を制御データに変換して、接続ケーブル５を介して、遠隔にある遠隔監視部１０のテレビカメラ３、電動ズームレンズ２、及び旋回装置１に出力し、テレビカメラ３の設定の変更、あるいは電動ズームレンズ２のズーム比の設定の変更、あるいは旋回装置１の駆動によりテレビカメラ３のパン・チルト制御を行う。
【０００７】
テレビカメラ３は、演算処理部７から与えられた設定条件で、画像を取得し、映像信号に変換して接続ケーブル５を介して、演算処理部７に出力する。演算処理部７は、入力された映像信号を、入力の都度、遠隔操作部６の操作画面の所定部分に表示させるための画像データに変換して、遠隔操作部６に出力する。遠隔操作部６は、入力された画像データを操作画面（斜線網掛け部）８の所定部分に表示する。
上記実施例では、画像データを遠隔操作部６の操作画面８に表示させたが、別にビデオモニターを備え、例えば、演算処理部７からの画像データに基づいて、ビデオモニターに表示させても良い。
【０００８】
図２は、本発明の一実施例の操作画面８の表示例を示す図である。
図１の遠隔操作部１０は、操作画面８を有し、操作画面８には、テレビカメラ３が取得した画像が表示され、その他に、操作スイッチ２０−１，２０−２，２０−３，‥‥‥，２０−１８，２０−１９が縮小表示されている。この表示状態では、オペレータは、その操作スイッチのどれを押しても操作機能が働かない。図２の例では、操作スイッチ２０−１，２０−２，２０−３，‥‥‥，２０−１８，２０−１９は、全て、四角い枠で表示しているが、ボタン図形や、特有のアイコン、その他、どんな形状でも良い。
また、この例では、すべて操作スイッチとしているが、システムの状態を知らせるための表示を行わせるための表示ボタンが含まれていても良い。
【０００９】
図３と図４によってその表示の一例を示す。図３の操作スイッチの１つを、例えば、オペレータがポインティングデバイスを操作して選択する。例えば、オペレータが操作スイッチ２０−１を選択すると、選択された操作スイッチ２０−１が、拡大表示される。
ポインティングデバイスの操作によって、操作スイッチのいずれかが選択されたことを、例えば、図１の演算処理部７が認識すると、演算処理部７は遠隔処理部６の操作画面８の該当する操作スイッチを通常の操作ができる状態の表示に変更する。
【００１０】
操作画面８で操作を行なう際の操作スイッチの選択は、例えば、遠隔操作部６が備える図示しないマウス等のポインティングデバイスを操作し、操作画面８上でポインティングデバイスの操作に連動して表示されたポインタを動かし、所望の操作スイッチ上にポインタを合わせることによって選択する。ポインタを合わせた操作スイッチまたは表示ボタンは、その機能を操作画面８上に拡大表示され、オペレータは、さらにポインタを動かし、該当する表示領域をマウス等のポインティングデバイスでクリックすることによって操作を行う。
【００１１】
図４は、図３において、パン・チルト操作を行うための操作スイッチ２０−１が選択され、拡大表示された一例を示す図である。即ち、操作スイッチ２０−１が拡大表示されたために、拡大された領域の操作スイッチ２０−１、２０−２、２０−１１、及び２０−１２が見えなくなり、拡大表示された操作スイッチ２０−１−０、２０−１−１、２０−１−２、２０−１−３、及び２０−１−４が表示される。そして、操作スイッチ２０−１−０はパン・チルト動作の停止及びパン・チルト操作が実行可能であることを示すための表示灯（図では示さないが、例えば、赤く点滅する）、操作スイッチ２０−１−１は上方向、操作スイッチ２０−１−２は右方向、操作スイッチ２０−１−３は下方向、操作スイッチ２０−１−４は左方向にそれぞれテレビカメラ３の向きを変更する操作スイッチである。
【００１２】
図５と図６によって本発明の他の表示例を示す。図５の操作スイッチの１つを、例えば、ポインティングデバイスを操作して選択する。例えば、操作スイッチ２０−２２を選択すると、選択された操作スイッチ２０−２２が、拡大表示される。図６は、図５において、ズーム比の変更操作を行うための操作スイッチ２０−２２が選択され、拡大表示された一例を示す図である。即ち、操作スイッチ２０−２２が拡大表示されたために、拡大された領域の操作スイッチ２０−２０、２０−２１、２０−２２、２０−２３、及び２０−２４が見えなくなり、拡大表示された操作スイッチ２０−２２−０、２０−２２−１、２０−２２−２、２０−２２−３、及び２０−２２−４が表示される。そして、操作スイッチ２０−２２−０はズーム比の変更操作が実行可能であることを示すための表示灯（図では示さないが、例えば、赤く点滅する）、操作スイッチ２０−２２−１はズーム比を１／４倍に変更、操作スイッチ２０−２２−２はズーム比を１／２倍に変更、操作スイッチ２０−２２−３はズーム比を２倍に変更、操作スイッチ２０−２２−４はズーム比を４倍に変更する操作スイッチである。
【００１３】
上記実施例では、操作スイッチに関して述べたが、操作機能を持たず、状態を表示するだけの表示ボタンが拡大表示されるように設定してあっても良いことは自明である。
また更に、上記実施例では、操作画面に表示された操作スイッチまたは表示ボタンは、通常の表示状態では、所望の操作スイッチまたは表示ボタンを押しても機能しない。しかし、本発明の適用に際しては、通常の表示状態でも、その一部の操作スイッチまたは表示ボタンが、それらを押して直接機能する（拡大表示しない）スイッチまたはボタンを混在させて表示していても良い。
また、本発明は、上記実施例では、監視システム等のＣＣＴＶ装置によって説明したが、表示装置の画面上でシステムを制御する場合であるなら、どのようなシステムであっても適用可能である。
【００１４】
【発明の効果】
以上説明したように、ＣＲＴ等の表示装置を使用した操作画面で操作を行なう際、画面上のポインタを動かし、任意の操作スイッチを選択することにより、操作スイッチ表示またはそのスイッチの機能を操作画面上に拡大表示することにより、視認性が向上する。また、現在ポインタを置いているスイッチが拡大表示されることにより操作者が目的としている操作スイッチであるか否かが明確となるため誤操作が減少することが期待できる。更に、画面上の操作スイッチをコンパクトに作成・設置することにより、操作画面枚数の減少が可能となり、効率的なシステム操作（操作性の向上）が実現可能である。
【図面の簡単な説明】
【図１】本発明のＣＣＴＶ装置の一実施例の構成を示すブロック図。
【図２】本発明の一実施例の操作画面の表示例を示す図。
【図３】本発明の一実施例の操作画面の表示例を説明する図。
【図４】本発明の一実施例の操作画面の表示例を説明する図。
【図５】本発明の一実施例の操作画面の表示例を説明する図。
【図６】本発明の一実施例の操作画面の表示例を説明する図。
【符号の説明】
１：旋回装置、　２：電動ズームレンズ、　３：テレビカメラ、　４：カメラケース、　５：接続ケーブル、　６：遠隔操作部、　７：演算処理部、　８：操作画面、　１０：遠隔監視部、　２０−１，２０−２，‥‥‥，２０−２７：操作スイッチ、　２０−１−０，２０−１−１，‥‥‥，２０−１−４，２０−２２−０，２０−２２−１，‥‥‥，２０−２２−４：拡大表示の操作スイッチ、
２１：画像表示部。
【図１】
2004056175.tif 000003
【図２】
2004056175.tif 000004
【図３】
2004056175.tif 000005
【図４】
2004056175.tif 000006
【図５】
2004056175.tif 000007
【図６】
2004056175.tif 000008